(57)【要約】【課題】柔軟なプラスチックフィルム製自立容器を梱包し易く、遊動しないように緊密に保持できるプラスチックフィルム製自立容器用梱包ケースを提供する。【解決手段】左右側面２，３に続く天底４枚の第１フラップ６〜９及び前後側面４，５に続く天底４枚の第２フラップ１０〜１３に、付け根に第１内折れ罫線１５を有するとともに付け根と先端との間に第２内折れ罫線１６を設ける。第１フラップ６〜９には、奥行き方向中央付け根から始まり第２内折れ罫線１６を超えて先端方向へ向けて延びる第１スリット６ａ〜９ａを設ける。第２フラップ１０〜１３には、幅方向の所定位置において第２フラップ先端から始まり付け根方向へ延びる第２スリット１０ａ〜１３ａを設ける。【選択図】　　　　　図１
2004075193.tif 000002
【特許請求の範囲】
【請求項１】
天面と底面を構成するため天底に各々４枚ずつフラップを有するプラスチックフィルム製自立容器用梱包ケースにおいて、
左右側面に続く天底４枚の第１フラップ及び前後側面に続く天底４枚の第２フラップは、付け根に第１内折れ罫線を有するとともに付け根と先端との間に第２内折れ罫線を有し、
前記第１フラップは、該第１フラップの奥行き方向中央付け根から始まり前記第２内折れ罫線を超えて先端方向へ向けて延びる第１スリットをさらに有し、
前記第２フラップは、該第２フラップの幅方向の所定位置において前記第２フラップ先端から始まり付け根方向へ延びる第２スリットをさらに有することを特徴とするプラスチックフィルム製自立容器用梱包ケース。
【請求項２】
天面と底面を構成するため天底に各々４枚ずつフラップを有するプラスチックフィルム製自立容器用梱包ケースにおいて、
左右側面に続く底面側の２枚の第１フラップ及び前後側面に続く天底４枚の第２フラップは、付け根に第１内折れ罫線を有するとともに付け根と先端との間に第２内折れ罫線を有し、
前記左右側面に続く天面側の２枚の第１フラップのうち一方は、付け根に第１内折れ罫線を有するとともに付け根と先端との間に第２内折れ罫線を有し、他方は付け根にのみ内折れ罫線を有し、
４枚の前記第１フラップのうち前記天面側の他方の第１フラップを除く３枚は、前記第１フラップの奥行き方向中央付け根から始まり前記第２内折れ罫線を超えて先端方向へ向けて延びる第１スリットをさらに有し、
前記第２フラップは、該第２フラップの幅方向の所定位置において前記第２フラップ先端から始まり付け根方向へ延びる第２スリットをさらに有することを特徴とするプラスチックフィルム製自立容器用梱包ケース。
【請求項３】
前記第２フラップは、幅方向に三等分される位置に２箇所ずつ前記第２スリットを有することを特徴とする、請求項１または請求項２に記載のプラスチックフィルム製自立容器用梱包ケース。
【請求項４】
前記第２フラップは、幅方向中央に前記第２スリットを有することを特徴とする、請求項１または請求項２に記載のプラスチックフィルム製自立容器用梱包ケース。
【請求項５】
液体を詰めたプラスチックフィルム製自立容器を梱包することを特徴とする、請求項１から請求項４のいずれか一項に記載のプラスチックフィルム製自立容器用梱包ケース。
【発明の詳細な説明】
【０００１】
【発明の属する技術分野】
本発明は、プラスチックフィルム製の自立容器（以下、単に「自立容器」という）を詰めるプラスチックフィルム製自立容器用梱包ケース（以下、単に「梱包ケース」という）に関する。
【０００２】
【従来の技術】
従来から、ダンボール箱に仕切り板を入れて、プラスチックフィルム製の自立容器を収納して梱包することが行われている。
図１２は、従来の梱包ケースの構成を示す分解組立図である。図１２に示すように、従来の梱包ケース１００は、ダンボールケース１０１の中に仕切り板１０２を嵌め入れることにより、組み立てられる。
図１３は、仕切り板１０２の分解組立図である。ダンボールケース１０１内に６つの部屋を設けるために、幅方向を３つに分割するための２枚のダンボール板１０３と、奥行き方向を２つに分割するための１枚のダンボール板１０４により、仕切り板１０２が形成されている。
【０００３】
【発明が解決しようとする課題】
従来のプラスチックフィルム製自立容器用梱包ケースは、上述したように構成されており、仕切り板１０２の端がダンボールケース１０１の内壁に固定されていないのでダンボール板１０３，１０４のなす角θが変化し易く、仕切られた部屋の大きさが変化するため柔軟な自立容器が動き易くなる。なす角θが変化するだけでなくダンボール板１０３，１０４の曲がりも生じ、ダンボール板１０３，１０４とダンボールケース１０１の内壁との隙間から、柔軟な自立容器が隣の部屋に移動して、自立容器の少なくなった部屋では自立容器の遊びが大きくなり、自立容器の倒れが発生する可能性が高くなる。このような傾向は、自立容器の中に液体が封入されている場合には、自立容器が重くなるため特に顕著である。
また、仕切り板１０２を高くすると、上部が折れ曲がり易い自立容器は取り出し難くなり、仕切り板１０２を低くしすぎると、変形自在な自立容器は仕切り板１０２を乗り越えてしまうという問題がある。
本発明は、柔軟な自立容器を梱包する際に作業効率を向上させるとともに、柔軟な自立容器が梱包ケース内で遊動しないよう緊密に保持できるプラスチックフィルム製自立容器用梱包ケースを提供することを目的とする。
【０００４】
【課題を解決するための手段および発明の効果】
第１の課題解決手段は、天面と底面を構成するため天底に各々４枚ずつフラップを有するプラスチックフィルム製自立容器用梱包ケースであって、左右側面に続く天底４枚の第１フラップ及び前後側面に続く天底４枚の第２フラップは、付け根に第１内折れ罫線を有するとともに付け根と先端との間に第２内折れ罫線を有し、第１フラップが、該第１フラップの奥行き方向中央付け根から始まり第２内折れ罫線を超えて先端方向へ向けて延びる第１スリットをさらに有し、第２フラップが、該第２フラップの幅方向の所定位置において第２フラップ先端から始まり付け根方向へ延びる第２スリットをさらに有するものである。
第１の課題解決手段によれば、天面を構成する第１フラップおよび第２フラップにより所定の区画を構成するための仕切り板を形成し、底面を構成する第１フラップおよび第２フラップにより所定の区画を構成するための仕切り板を形成し、天面と底面の仕切り板で部屋が構成できるので、梱包が容易で、遊動を小さくして確実に保持できるという効果を奏する。
第２の課題解決手段は、天面と底面を構成するため天底に各々４枚ずつフラップを有するプラスチックフィルム製自立容器用梱包ケースにおいて、左右側面に続く底面側の２枚の第１フラップ及び前後側面に続く天底４枚の第２フラップは、付け根に第１内折れ罫線を有するとともに付け根と先端との間に第２内折れ罫線を有し、左右側面に続く天面側の２枚の第１フラップのうち一方は、付け根に第１内折れ罫線を有するとともに付け根と先端との間に第２内折れ罫線を有し、他方は付け根にのみ内折れ罫線を有し、４枚の第１フラップのうち天面側の他方の第１フラップを除く３枚は、第１フラップの奥行き方向中央付け根から始まり第２内折れ罫線を超えて先端方向へ向けて延びる第１スリットをさらに有し、第２フラップは、該第２フラップの幅方向の所定位置において第２フラップ先端から始まり付け根方向へ延びる第２スリットをさらに有するものである。
第２の課題解決手段によれば、天面を構成する第１フラップおよび第２フラップにより所定の区画を構成するための仕切り板を形成し、底面を構成する第１フラップおよび第２フラップにより所定の区画を構成するための仕切り板を形成し、天面と底面の仕切り板で部屋が構成できるので、梱包が容易で、遊動を小さくして確実に保持できるという効果を奏する。
第３の課題解決手段は、第１または第２の課題解決手段において、第２フラップが、幅方向に三等分される位置に２箇所ずつ第２スリットを有するものである。
第３の課題解決手段によれば、第１フラップおよび第２フラップのみで６つの部屋に分割できる。
第４の課題解決手段は、第１または第２の課題解決手段において、第２フラップが、幅方向中央に第２スリットを有するものである。
第４の課題解決手段によれば、第１フラップおよび第２フラップのみで４つの部屋に分割できる。
第５の課題解決手段は、第１乃至第４の課題解決手段のいずれかのプラスチックフィルム製自立容器用梱包ケースに、液体を詰めたプラスチックフィルム製自立容器を梱包するものである。
第５の課題解決手段によれば、液体を詰めたプラスチックフィルム製自立容器が変形し易く、自重が重いため、効果が特に顕著に現われる。
【０００５】
【発明の実施の形態】
（第１実施形態）
以下、図面に基づき、この発明に係る第１実施形態について説明する。
図１は、この発明の第１実施形態によるプラスチックフィルム製自立容器用梱包ケース（以下、単に「梱包ケース」という）の組立前の状態を示す展開図である。
図１に示す梱包ケース１は、左右側面２，３及び前後側面４，５並びに、左右側面２，３に続く第１フラップ６〜９及び前後側面４，５に続く第２フラップ１０〜１３を備える。
図１において、ダンボール紙を折り曲げ易くするための折り癖として付けられた内折れ罫線が細点線で示されている。
左側面２−前側面４の境、前側面４−右側面３の境および右側面３−後側面５の境にそれぞれ内折れ罫線１４が形成されている。
第１フラップ６〜９および第２フラップ１０〜１３の付け根、即ち第１プラップ６〜９と左右側面２，４の境界および第２フラップ１０〜１３と前後側面ｉｉｉ，５との境界に第１内折れ罫線１５が形成されている。
また、第１フラップ６〜９および第２フラップ１０〜１３の先端と付け根との間の所定位置に第２内折れ罫線１６が形成されている。
第２フラップ１０〜１３の第２内折れ罫線１６は、例えば天面を構成するための第２フラップ１０，１２の付け根から第２内折れ罫線１６までの距離ａ，ｂの和（ａ＋ｂ）が、左右側面２，３の奥行き方向の長さに略等しくなるように設計されている。
第１フラップ６〜９の第２内折れ罫線１６は、第１フラップ６〜９の付け根から第２内折れ罫線１６までの距離ｃ，ｄの和（ｃ＋ｄ）が、前後側面４，５の幅方向の長さに略等しくなるように設計されている。
【０００６】
第１フラップ６〜９には、第１フラップ６〜９の付け根から始まり第２内折れ罫線１６を超え先端に向かって延びる第１スリット６ａ〜９ａが設けられている。第１スリット６ａ〜９ａは、図１の梱包ケース１が組みあがった状態において、梱包ケース１の奥行き方向における各第１フラップ６〜９の中央部に位置する。
第２フラップ１０〜１３には、第２フラップ１０〜１３の先端から始まり付け根に向かって延びる第２スリット１０ａ〜１３ａが設けられている。第２スリット１０ａ〜１３ａの先端から第２内折れ罫線１６までの距離は、第１スリット６ａ〜９ａの端から第２内折れ罫線１６までの距離に略等しい。
【０００７】
左側面２には、後側面５に接着するための接着剤塗布領域２ａが設けられている。各内折れ罫線１４で折り曲げ、接着剤塗布領域２ａを後側面５に接着することにより展開された梱包ケース１が環状に形成される。
【０００８】
次に底面の組立を行う。第１フラップ９を第１内折れ罫線１５および第２内折れ罫線１６でそれぞれ直角に折り曲げると、図２に示すように、底面開口部において第１フラップ７，９の面が存する部分と存しない部分とが底面開口部を３等分するように現われる。
【０００９】
さらに、第２フラップ１１の第１内折れ罫線１５および第２内折れ罫線１６で折り曲げつつ、第２フラップ１１の先端を第１フラップ７，９の第１スリット７ａ，９ａに挿入する。挿入中の状態を図３に示す。
【００１０】
同様に、第２ステップ１３の第１内折れ罫線１５および第２内折れ罫線１６で折り曲げつつ、第２フラップ１３の先端を第１フラップ７，９の第１スリット７ａ，９ａに挿入する。挿入中の状態を図４に示す。
【００１１】
第２フラップ１１，１３の先端に設けた第２スリット１１ａ，１３ａは、第２フラップ１１，１３の先端を第１スリット７ａ，９ａに挿入したとき、第１フラップ７，９に嵌る。
図５に梱包ケース１の底面が完成した状態を示す。
【００１２】
次に図５に示した梱包ケース１を天底逆になるようにひっくり返すと図６に示すような状態になる。即ち、底面が第１フラップ７，９および第２フラップ１１，１３により形成され、それらの先端により底部が６つの区画に分割されている。
【００１３】
図６に示す梱包ケース１に、プラスチックフィルム製自立容器２０を詰める（図７参照）。プラスチックフィルム製自立容器２０は、特にパーマ液やシャンプー液等の液体が例えば５００ｍｌ封入されているような場合、容器自身が変形し易く、かつ重量がある。
【００１４】
しかし、第１フラップ７，９および第２フラップ１１，１３により形成された６つの区画に入れることで遊動の少ない確実な保持が可能になる。しかも、第１フラップ７，９および第２フラップ１１，１３からなる仕切りが低いことから、詰め易くなっている。
【００１５】
なお、１区画に複数のプラスチックフィルム製自立容器を入れることとして、容器自身が自立することから容器を複数一度に詰めず一つずつ詰めても倒れず梱包作業をスムーズに行うことができる。
【００１６】
プラスチックフィルム製自立容器２０を詰め終わってから、第１フラップ６，８を第１内折れ罫線１５および第２内折れ罫線１６で折り曲げて行く（図８参照）。
【００１７】
底面を形成したときと同様、図９に示すように第２フラップ１０を折り曲げ、さらに第２フラップ１２を折り曲げる。
【００１８】
図１０に示すように梱包ケース１が組み上がったときには、第２プラップ１０，１２の先端が第１フラップ６，８が第２フラップ１０，１２の第２スリット１０ａ，１２ａに嵌っているため、底面と同じように天面側も６つの区画に仕切られる。
【００１９】
底面側だけでなく天面側も同様に６つの区画に仕切られ、天底の第１フラップ６〜９および第２フラップ１０〜１３により６つの部屋が形成され、それによって、梱包ケース１を運んでいる際中プラスチックフィルム製自立容器が他の部屋に移動することなく、また倒れることがなく自立した状態で輸送が可能になる。
【００２０】
（第２実施形態）
なお、上記第１実施形態の説明では、６つの区画に仕切る場合について説明したが、図１１の展開図を組み立てて得られる梱包ケースのように、４つの区画に仕切るようにしてもよく上記実施の形態と同様の効果を奏する。
【００２１】
（第３実施形態）
また、上記第１実施形態の説明では、天面側の第１フラップ１２に内折れ罫線１６を形成したものを示したが、図１４に示すように、天面側の第１フラップ１２の内折れ罫線１６よりも先の部分を切り取ってもよい。第１フラップ１２で蓋をするときには例えばガムテープで第１フラップ１０に貼り付けられる。開梱時にガムテープを外すと第１フラップ１２が開くので、開け方の説明をしなくとも誰もが開梱出来るものとなる。
【００２２】
（第４実施形態）
さらに、上記第３実施形態の説明では、６つの区画に仕切る場合について説明したが、図１５の展開図を組み立てて得られる梱包ケースのように、４つの区画に仕切るようにしてもよく上記実施の形態と同様の効果を奏する。
【００２３】
また、各区画の中を独立の仕切り板で区切っても良い。
【図面の簡単な説明】
【図１】この発明の第１実施形態による梱包ケースの展開図である。
【図２】図１の梱包ケースの組立工程図である。
【図３】図１の梱包ケースの組立工程図である。
【図４】図１の梱包ケースの組立工程図である。
【図５】図１の梱包ケースの組立工程図である。
【図６】図１の梱包ケースの組立工程図である。
【図７】図１の梱包ケースにプラスチックフィルム製自立容器を詰めいている状態を示す部分破断斜視図である。
【図８】図１の梱包ケースの組立工程図である。
【図９】図１の梱包ケースの組立工程図である。
【図１０】図１の梱包ケースの組立工程図である。
【図１１】この発明の第２実施形態による梱包ケースの展開図である。
【図１２】従来のプラスチックフィルム製自立容器用梱包ケースの一例を示す斜視組立図である。
【図１３】図１２の仕切り板の組立図である。
【図１４】この発明の第３実施形態による梱包ケースの斜視図である。
【図１５】この発明の第４実施形態による梱包ケースの展開図である。
【符号の説明】
１　梱包ケース、２　左側面、３　右側面、４　前側面、５　後側面、６〜９第１フラップ、１０〜１３　第２フラップ、６ａ〜９ａ　第１スリット、１０ａ〜１３ａ　第２スリット、１４　内折れ罫線、１５　第１内折れ罫線、１６　第２内折れ罫線。
【図１】
2004075193.tif 000003
【図２】
2004075193.tif 000004
【図３】
2004075193.tif 000005
【図４】
2004075193.tif 000006
【図５】
2004075193.tif 000007
【図６】
2004075193.tif 000008
【図７】
2004075193.tif 000009
【図８】
2004075193.tif 000010
【図９】
2004075193.tif 000011
【図１０】
2004075193.tif 000012
【図１１】
2004075193.tif 000013
【図１２】
2004075193.tif 000014
【図１３】
2004075193.tif 000015
【図１４】
2004075193.tif 000016
【図１５】
2004075193.tif 000017